(57)【要約】      （修正有）【課題】食品を収容する食品用包装容器について、特に見栄えの低下を起こし易い紐状の食品を収容させた際にも見栄えの低下を抑制することに効果的な食品用包装容器を提供する。【解決手段】食品を収容する食品用包装容器１１の食品を乗せる食品載置面１２ｂに錐状突起１４を設け、複数の錐状突起１４でひとかたまりの盛り付けエリア１５を構成し、そのエリア内で外側に位置する錐状突起１４ａと内側に位置する錐状突起１４ｂの高さが異なるものとする。その一態様として、外側の錐状突起１４ａを高く、内側の錐状突起１４ｂを低く形成する。【選択図】図１
0003190910.tif 000002
【実用新案登録請求の範囲】
【請求項１】
食品を収容する食品用包装容器であって、この食品を乗せる食品載置面に錐状突起を設け、
複数の錐状突起でひとかたまりの盛り付けエリアを構成し、そのエリア内で外側に位置する錐状突起と内側に位置する錐状突起の高さが異なる食品用包装容器。
【請求項２】
錐状突起を食品載置面が底面となる円錐状突起とした請求項１記載の食品用包装容器。
【請求項３】
盛り付けエリアでその外側の錐状突起を高く、内側の錐状突起を低く形成する請求項１または請求項２記載の食品用包装容器。
【請求項４】
盛り付けエリアを複数有する請求項１〜請求項３何れか１項記載の食品用包装容器。
【請求項５】
高さが異なる錐状突起は、底面が同一で高さが異なる錐状突起である請求項１〜請求項４何れか１項記載の食品用包装容器。
【請求項６】
高さが異なる錐状突起は、底面と側面とで作る角度が同一で高さが異なる錐状突起である請求項１〜請求項４何れか１項記載の食品用包装容器。
【請求項７】
直近に隣接する錐状突起の頂点間の間隔が７ｍｍ〜１３ｍｍである請求項１〜請求項６何れか１項記載の食品用包装容器。
【請求項８】
錐状突起は、底面の面積が７５ｍｍ２以下、高さが０．５ｍｍ〜５ｍｍ、先端部の曲率半径が２．０ｍｍ以下である請求項１〜請求項７何れか１項記載の食品用包装容器。
【考案の詳細な説明】
【技術分野】
【０００１】
本考案は食品の陳列、販売用または持ち帰り用などとして用いられる食品用包装容器に関し、より詳しくは刺身のつま等の紐状の食品を収容するのに好適な食品用包装容器に関する。
【背景技術】
【０００２】
食品用包装容器に食品を収容して、陳列、販売するに際し、収容した食品の見栄えを良くするために、食品用包装容器には種々の工夫がなされている。例えば、特開２００１−２７０５１２号公報（特許文献１）では、開口部に勾配を設けて消費者の目線にあった角度で商品を見られるようにする技術が記載されている。
こうした食品の陳列、販売においては、主たる食品に併せて付け合わせの食品を収容することによっても食品の見栄えを向上させている。例えば、とんかつなどの揚げ物では千切りキャベツも併せて収容し、刺身では大根などのつまを盛り合わせて収容している。
【先行技術文献】
【特許文献】
【０００３】
【特許文献１】特開２００１−２７０５１２号公報
【考案の概要】
【考案が解決しようとする課題】
【０００４】
こうして見栄え良く陳列された食品も、消費者が容器を手にとって中味を吟味しようとすると、食品用包装容器が傾き、収容された食品が片寄って見栄えを低下させるおそれがある。また、販売者が陳列棚まで運ぶ過程で収容された食品が片寄ってしまうこともある。特に千切りキャベツや刺身のつまなど紐状の食品は、一旦ばらけてしまうと元の状体には戻り難いという課題があった。
【０００５】
そこで本考案は、食品の見栄えの低下を防止すること、特に見栄えの低下を起こし易い紐状の食品を収容させた際にも見栄えの低下を抑制することが効果的な食品用包装容器を提供することを目的としている。
【課題を解決するための手段】
【０００６】
即ち、食品を収容する食品用包装容器であって、この食品を乗せる食品載置面に錐状突起を設け、複数の錐状突起でひとかたまりの盛り付けエリアを構成し、そのエリア内で外側に位置する錐状突起と内側に位置する錐状突起の高さが異なる食品用包装容器を提供する。
【０００７】
食品を収容する食品用包装容器であって、この食品を乗せる食品載置面に錐状突起を設け、複数の錐状突起でひとかたまりの盛り付けエリアを構成したため、横滑りし難く、見栄えの良い食品の盛り付けができる。より具体的には、複数の錐状突起がひとかたまりとなっているため、まぐろの刺身のように平たい食品は複数の錐状突起の頂点で形成される面内に載置でき、刺身のつまの千切り大根のように紐状の食品は複数の錐状突起に挟まれた間の空間に収めることができる。そのため、紐状の食品の横滑りを防止し平たい食品の載置角度を所望の状態に維持することができる。
さらに、盛り付けエリア内で外側に位置する錐状突起と内側に位置する錐状突起の高さが異なるものとしたため、錐状突起の上に盛り付ける食品の水平面に対する角度を変えて盛り付けることができる。
【０００８】
錐状突起は食品載置面が底面となる円錐状突起とすることが好ましい。こうした円錐状突起とすれば、成形が容易であり、また、錐状突起間の間隔を広く取ることができ、紐状食品の盛り付けを容易にできるからである。
【０００９】
錐状突起の高さは、盛り付けエリアでの外側の錐状突起を高く、内側の錐状突起を低く形成することができる。盛り付けエリア内の外側の錐状突起を高く、内側の錐状突起を低く形成したため、錐状突起の上に盛り付けた食品は盛り付けエリアの中央側に向き、主に外側に向かう力によって起きる横滑りを効果的に防止することができる。
【００１０】
盛り付けエリアは複数有するものとすることができる。盛り付けエリアを複数設けることで、盛り付ける刺身等の食品の種類毎に横滑りを防止することができる。また、盛り付ける領域が明確になり、盛り付け作業が容易になる。
【００１１】
そして、高さが異なる錐状突起は、底面が同一で高さが異なる錐状突起とすることができる。底面を同一としたため、錐状突起の側面間の距離が等しくなり、錐状突起間に収容する紐状食品を比較的均一にからませることができる。
また、高さが異なる錐状突起は、底面と側面とで作る角度が同一で高さが異なる錐状突起とすることもできる。底面と側面とで作る角度を同一としたため、高さの低い錐状突起の底面積を小さくすることができ、それによって、錐状突起以外の部分の面積を広く取ることができるので、錐状突起間に収容する食品の容積を増やすことができる。
【００１２】
こうした錐状突起は、直近に隣接する錐状突起の頂点間の間隔を７ｍｍ〜１３ｍｍとすることができる。直近に隣接する錐状突起の頂点間の間隔を７ｍｍ〜１３ｍｍとしたため、錐状突起間に紐状の食品を効果的に絡ませることができる。
また、錐状突起は、底面の面積が７５ｍｍ２以下、高さが０．５ｍｍ〜５ｍｍ、先端部の曲率半径が２．０ｍｍ以下の大きさ、形状とすることができる。こうした大きさ、形状としたため、型成形での成形が可能であり、また、先鋭な錐状突起の頂点が比較的滑らかとなって、先が尖ることによる不都合を生じさせない。
【考案の効果】
【００１３】
本考案の食品用包装容器によれば、収容された食品が横滑りし、食品がばらけて見栄えが低下することを抑制することができる。
【図面の簡単な説明】
【００１４】
【図１】第１実施形態の食品用包装容器を示し分図（Ａ）はその平面図、分図（Ｂ）はそのＳＡ−ＳＡ線断面図である。
【図２】図１の領域Ｒ１に示した錐状突起の拡大断面図である。
【図３】第２実施形態の食品用包装容器の平面図である。
【図４】図２の領域Ｒ２に示した錐状突起の拡大断面図である。
【図５】第３実施形態の食品用包装容器の錐状突起を示し、図４相当の錐状突起の拡大断面図である。
【図６】第４実施形態の食品用包装容器の平面図である。
【図７】第５実施形態の食品用包装容器の平面図である。
【図８】第６実施形態の食品用包装容器を示し分図（Ａ）はその平面図、分図（Ｂ）はそのＳＢ−ＳＢ線断面図である。
【図９】図８の領域Ｒ４に示した錐状突起の拡大断面図である。
【考案を実施するための形態】
【００１５】
本考案の実施形態について図面を参照しつつ説明するが、各実施形態において共通する構成、材料、製造方法、作用効果等については重複説明を省略する。
【００１６】
第１実施形態[図１，図２]：
図１、図２には刺身等の食品の収容に好適な食品用包装容器１１を示す。
食品用包装容器１１は、下方に突出する脚部１２ａと、この脚部１２ａの内側で食品を載置する食品載置面１２ｂとを有する底部１２と、その底部１２の周縁から上方に立ち上がる側壁１３とを備え、平面視で略正方形となる皿状に形成されている。
側壁１３は、その先端に設けた鍔部１３ａで別途形成した蓋体と係合させることができる。また、底部１２に設けた脚部１２ａは、食品載置面１２ｂの周囲から下方に伸長し四隅で突出しており、食品載置面１２ｂを上げ底にして食品用包装容器１１をテーブル等の上に水平に置くことができる。
【００１７】
そして、その上げ底にされた食品載置面１２ｂには複数の円錐状の錐状突起１４が形成されている。そして、複数個の錐状突起１４がまとまって一つの盛り付けエリア１５を形成している。より具体的には、２４個の錐状突起１４が接近して縦横に整列して一の盛り付けエリア１５となっている。各盛り付けエリア１５はまた、４本のリブ部１２ｃでも明確に区分けされている。
【００１８】
この錐状突起１４が集合して形成する盛り付けエリア１５は、それぞれ異なる刺身を盛り付けるのに都合が良く、「４点盛り」、「４種盛り」などと呼ばれる盛りつけに最適である。
この４つの盛り付けエリア１５のそれぞれに大根のつまを錐状突起１４の間にからめるように巻き付けて載置し、その上に刺身を載置すると見栄え良く収容することができる。
【００１９】
一の盛り付けエリア１５内の錐状突起１４は、図１の分図（Ｂ）や、図１の領域Ｒ１の拡大図である図２で示すように、最外周に設けられた１５個の錐状突起１４ａに対し、その内側に設けられた９個の錐状突起１４ｂの高さが低くなっている。高さの高い錐状突起１４ａと高さの低い錐状突起１４ｂのそれぞれの底面の大きさはほぼ同等であり、このため、底面と側面（母線）とで作る角度は、錐状突起１４ａの方が錐状突起１４ｂに比べて大きくなっている。また、各錐状突起１４間の間隔はどこも等しくなっている。
【００２０】
錐状突起１４の大きさは、具体的には底面の面積が７５ｍｍ２以下、高さが０．５ｍｍ〜５ｍｍ、先端部の曲率半径が２．０ｍｍ以下である先鋭な形状をしている、本実施形態では外側の錐状突起１４ａと内側の錐状突起１４ｂの底面の大きさは同等でその直径は約７ｍｍであり、高さは外側の錐状突起１４ａが約３ｍｍ、内側の錐状突起１４ｂが約１ｍｍである。
また、縦または横に隣接する錐状突起の距離は頂点間の間隔で約１０ｍｍである。
【００２１】
食品用包装容器１１は合成樹脂製のシート材から真空成形や圧空成形等の熱成形の手段を利用して成形できる。食品用包装容器１１はその表面に種々の装飾がなされることが好ましく不透明材であって良い。
食品用包装容器１１の材質には、低密度ポリエチレン樹脂、高密度ポリエチレン樹脂といったポリエチレン樹脂、ホモポリプロピレン樹脂、エチレン−プロピレンランダム共重合体（ランダムポリプロピレン）樹脂、エチレン−プロピレン共重合体（ブロックポリプロピレン）樹脂などのポリプロピレン系樹脂、その他オレフィンを主体とする共重合体等のポリオレフィン系樹脂、ポリエチレンテレフタレート樹脂、ポリブチレンテレフタレート樹脂などのポリエステル系樹脂、ホモポリスチレン（汎用ポリスチレン）樹脂、スチレン−メチルスチレン共重合体樹脂、スチレン−エチルスチレン共重合体樹脂、スチレン−ブチルスチレン共重合体樹脂、スチレン−ブタジエンブロック共重合体樹脂、スチレン−イソプレンブロック共重合体樹脂などのポリスチレン系樹脂などからなる発泡樹脂シートや非発泡な樹脂シート（樹脂フィルム）を採用することができる。これらの樹脂は単一でも組み合わされていても良く、例えば、ホモポリプロピレン樹脂とランダムポリプロピレン樹脂との混合樹脂やホモポリプロピレン樹脂と低密度ポリエチレン樹脂との混合樹脂、汎用ポリスチレン樹脂とその他のポリスチレン系樹脂との混合樹脂などによって構成された樹脂シートであっても良い。
【００２２】
上記樹脂以外の熱可塑性樹脂シートを採用することも可能であり、例示の樹脂と例示以外の樹脂の混合樹脂からなる熱可塑性樹脂シートとしても良い。例えば、収容する食品が麺類等の紐状食品であって、電子レンジでの加熱が要求される場合は、ポリ（２，６）−ジメチル−１，４−フェニレンオキサイド）樹脂などのポリフェニレンエーテル系樹脂を汎用ポリスチレン系樹脂に混合した耐熱ポリスチレン系樹脂からなる熱可塑性樹脂シートとしても良い。
上述の樹脂シートの中にあっては、先鋭な錐状突起１４を好適に形成しうるという観点から、非発泡樹脂シートもしくは低発泡樹脂シート（発泡倍率１０倍以下、好ましくは７倍以下）として成形することが好ましい。高発泡シートとすると錐状突起１４の先端が尖りにくく丸みがかって成形されるからである。
【００２３】
食品用包装容器１１を製造するには、上記樹脂シートに対して真空成形、圧空成形、真空圧空成形、プレス成形等の熱成形方法を採用して成形し、トムソン刃などで外縁を切断して個々の食品用包装容器１１を得ることができる。
【００２４】
個々の盛り付けエリア１５には、先鋭な円錐状の錐状突起１４が互いに密集して設けられており、かつ、内側の錐状突起１４ｂを取り囲むかたちの外側の錐状突起１４ａがやや高く形成されている。そのため、刺身のつまである大根の千切りを錐状突起１４にからめるように置き、それとともに刺身を盛り付けると、つまは錐状突起１４にからまって、食品用包装容器１１をどちらの方向に傾けても横滑りし難く、またばらけ難い。加えて刺身は、やや高く形成された外側の錐状突起１４ａで内側に傾斜して、やや低く形成された内側の錐状突起１４ｂ部分に収まるため、刺身も横滑りしにくく見栄えを損ね難い。
【００２５】
そして、４つのリブ部１２ｃが各盛り付けエリア１５を区画しているため、盛り付け範囲が明確であり、かつ、一方の盛り付けエリア１５から他方の盛り付けエリア１５へのつまの横滑りが起きそうな場合にもリブ部１２ｃでおさえることができる。
【００２６】
第２実施形態 [図３，図４]：
図３、図４には、図１で示した食品用包装容器１１と同等範囲の盛り付けエリア２５を有しながら、錐状突起２４の形状が異なる食品用包装容器２１を示す。図３の領域Ｒ２の拡大断面図である図４で示すように、内側の錐状突起が外側の錐状突起に比べて低く形成されていることは食品用包装容器１１と同じであるが、高さの低い錐状突起の底面は高さの高い錐状突起の底面よりも小さく形成されている点が異なる。また、最内側の一つの錐状突起２４ｃはその周りの錐状突起２４ｂよりも高さが低く、底面が小さく形成されている点も異なる。即ち、一つの盛り付けエリア２５に設けた２４個の錐状突起２４のうち、最外周の１５個の錐状突起２４ａよりもその内側に設けた８個の錐状突起２４ｂの高さが低く、さらにその内側に設けた１個の錐状突起２４ｃの高さが最も低い。また、それぞれの底面も錐状突起２４ａよりは錐状突起２４ｂが小さく、錐状突起２４ｃはさらに小さい。但し、底面と側面（母線）で作る角度は、錐状突起２４ａ，２４ｂ，２４ｃの全てで同じである。
【００２７】
食品用包装容器２１では、最内側に最も低く設けた錐状突起２４ｃを有するため、つまをからめて保持する機能はやや劣るが、盛り付けエリア２５の中心側に刺身がより傾こうとするため、刺身の横滑りは防ぎ易い。
【００２８】
第３実施形態 [図５]：
図５には、図１で示した食品用包装容器１１と同等範囲の盛り付けエリア３５（図示せず）を有しながら、錐状突起の形状が異なる食品用包装容器３１（図示せず）であって、既にご説明した他の実施形態の食品用包装容器の領域Ｒ１（または領域Ｒ２）に相当する領域Ｒ３の錐状突起３４の拡大断面図を示す。
この食品用包装容器３１では、食品用包装容器２１とは反対に、一つの盛り付けエリア３５に設けた２４個の錐状突起３４のうち、最外周の１５個の錐状突起３４ａよりもその内側に設けた８個の錐状突起３４ｂの高さが高く、さらにその内側に設けた１個の錐状突起３４ｃの高さが最も高い。但し、各錐状突起３４ａ，３４ｂ，３４ｃの底面の大きさは同等であり、高さが異なる錐状突起どうしでは底面と側面（母線）で作る角度が異なっている。
【００２９】
食品用包装容器３１では、盛り付けエリア３５の中心から外側に向かって低くなる山状に錐状突起３４が集合しているため、刺身を盛り付けた際に刺身の横滑りはやや起こりやすくなるものの、外方から視認する消費者の目線に対して刺身がより正面を向くように盛り付けることができ見栄えが向上する。
【００３０】
第４実施形態 [図６]：
図６には、図１で示した食品用包装容器１１に設けた錐状突起１４と同様の錐状突起４４を有するが、盛り付けエリア４５が２つしか無く、食品載置面１２ｂには平坦部分も有する食品用包装容器４１を示す。食品用包装容器４１の食品載置面１２ｂにはリブ部１２ｃは設けられていない。一の盛り付けエリア４５内の２４個の錐状突起４４の大きさ、形状は、図１に示した食品用包装容器１１に設けた錐状突起１４と同じである。
【００３１】
図６で示すように、食品載置面１２ｂにはその適当な範囲に盛り付けエリアを設けることが可能である。盛り付けエリア４５以外の食品載置面１２ｂには、つまを置かずに刺身を直接盛り付けることができる。盛り付けエリア４５以外の部分を食品載置面１２ｂに設けたため、横滑りし難い食品は盛り付けエリア４５以外の部分に盛り付けることで、盛り付けエリア４５の形状に限定されない自由な盛り付けと、多様な盛り付けが可能である。
【００３２】
第５実施形態 [図７]：
図７には、円状の盛り付けエリア５５を有する食品用包装容器５１を示す。一の盛り付けエリア５５に設けた２５個の錐状突起５４のうち、最外周の１６個の錐状突起５４ａよりもその内側に設けた８個の錐状突起５４ｂの高さが低く、さらにその内側に設けた１個の錐状突起５４ｃの高さが最も低い。そして、各錐状突起５４ａ，５４ｂ，５４ｃの底面の大きさは同等であり、高さが異なる錐状突起どうしでは底面と側面（母線）で作る角度が異なっている。
【００３３】
食品用包装容器５１では、円状に錐状突起５４を設けたため、円状に刺身のつまを盛りつけ易い。そのため、錐状突起５４を刺身のつまで隠すことが容易で、錐状突起が外部から見えるような見栄えを損なう不都合を起こし難い。
【００３４】
第６実施形態 [図８，図９]：
図８、図９には、食品載置面１２ｂを一つの盛り付けエリア６５で満たした食品用包装容器６１を示す。盛り付けエリア６５内に設けた錐状突起６４は、図８の分図（Ｂ）や分図（Ａ）領域Ｒ４の拡大図である図９で示すように、最外周の錐状突起６４ａに対し、その内側に設けられた２列の錐状突起６４ｂの高さが低くなっており、さらにその内側に設けられた錐状突起６４ｃの高さが低くなっている。錐状突起６４ａ，６４ｂ，６４ｃの底面の大きさはほぼ同等であり、底面と側面（母線）とで作る角度は互いに異なっている。
【００３５】
食品用包装容器６１では食品載置面１２ｂのほぼ全面を盛り付けエリア６５として錐状突起６４を設けたため、食品載置面１２ｂ上で比較的自由に種々の刺身等を盛り付けることができ、４点盛りから５点盛りへの変更等を容易に行うことができる。また、盛り付けエリア６５が全体的に凹状に形成されているため、そこに載置する食品の片寄りを防止することができる。
【００３６】
なお、上記実施形態やその変形例で示した例は例示であり、こうした形態に限定されるものではなく、本願考案の趣旨に反しない任意の変更形態を含むものである。即ち、上記実施形態で示した一部の構成を含まなかったり、別の公知の構成を含んだり、代替した構成を採用したりしている場合も本願考案の範囲に含まれる。
【００３７】
例えば、図７で示す錐状突起５４や図８で示す錐状突起６４を、図３で示す錐状突起２４のように、高さが異なる錐状突起間の底面が異なり、底面と側面（母線）で作る角度が同じとなるような錐状突起とすることができる。
錐状突起は円錐形に限定されず、角錐形であっても良い。食品用包装容器自体の形状も正方形状に限らず、長方形状、円形状とすることができる。さらに、食品載置面１２ｂには段部やリブ部１２ｃとは異なるような突起や凹部を設けたものとすることもできる。
【符号の説明】
【００３８】
１１，２１，３１、４１，５１，６１    食品用包装容器
１２    底部
１２ａ    脚部
１２ｂ    食品載置面
１２ｃ    リブ部
１３    側壁
１３ａ    鍔部
１４，２４，３４，４４，５４，６４    錐状突起
１４ａ，２４ａ，３４ａ，４４ａ，５４ａ，６４ａ  （最外周に設けられた）錐状突起
１４ｂ，２４ｂ，３４ｂ，４４ｂ，５４ｂ，６４ｂ  （内側に設けられた）錐状突起
２４ｃ，３４ｃ，４４ｃ，５４ｃ，６４ｃ    （最内に設けられた）錐状突起
１５，２５，３５，４５，５５，６５    盛り付けエリア
【図１】
0003190910.tif 000003
【図２】
0003190910.tif 000004
【図３】
0003190910.tif 000005
【図４】
0003190910.tif 000006
【図５】
0003190910.tif 000007
【図６】
0003190910.tif 000008
【図７】
0003190910.tif 000009
【図８】
0003190910.tif 000010
【図９】
0003190910.tif 000011